(57)【要約】【課題】透光性を有する障害部材が遊技球の接触・衝突によって損傷することを防止するパチンコ機における電飾装置を提供すること。【解決手段】遊技領域を転動する遊技球が接触若しくは衝突可能な障害部材を光源から発せられる光によって発光するように設けられたパチンコ機における電飾装置（電飾部１０）において、障害部材としての透光性を有する軸部材１５（１６，１７）を、遊技盤４１に固定される取付板２の軸孔７ａと当該取付板２の前面に設けられた装飾部１１の軸孔１２ａに遊嵌して回転自由に設け、その取付板２の背面側に設けた光源としての発光ダイオード１９（２０，２１）を軸部材１５（１６，１７）の後端部に対応するように配置した。【選択図】図３
2007209571.tif 000002
【特許請求の範囲】
【請求項１】
遊技領域を転動する遊技球が接触若しくは衝突可能な障害部材を光源から発せられる光によって発光するように設けられたパチンコ機における電飾装置において、
遊技盤に固定される取付板に前記障害部材としての透光性を有する軸部材を回転自由に設け、その取付板の背面側に設けられた前記光源を該軸部材の後端部に対応するように配置したことを特徴とするパチンコ機における電飾装置。
【請求項２】
単独又は複数の前記軸部材が、役物の取付板に形成された軸孔と当該取付板の前面に設けられる装飾部に形成された軸孔に遊嵌されて回転自由に設けられていることを特徴とする請求項１に記載のパチンコ機における電飾装置。
【請求項３】
前記軸部材を丸棒形状としたことを特徴とする請求項１又は２に記載のパチンコ機における電飾装置。
【発明の詳細な説明】
【技術分野】
【０００１】
本発明は、パチンコ機の遊技領域に設けられる電飾装置に関するものである。
【背景技術】
【０００２】
パチンコ機においては、遊技者によって打ち込まれて遊技領域を転動する遊技球が接触若しくは衝突可能な障害部材を光源から発せられる光によって照明するように設けられた電飾装置が設置されている。
【０００３】
特開２００４−１９５１７２号公報には、遊技盤の前面を流下するパチンコ球の進路の障害となる構造物として、パチンコ球が接触若しくは衝突可能な円筒状本体内に光反射板を備えたパイプ部を挿入し、発光ダイオードの光を該本体の円柱部とパイプ部に照射させることにより取付板の前面に一体状に突設された円筒状本体を発光させる構造とした電飾入りルミバーが記載されている。
【０００４】
また、特開平８−１７３５９８号公報には、固定ベースに形成された軸受け孔部に、透光性を有する内側シャフト部を内部中心に組み付けた導光シャフトを回転自由に装着し、その導光シャフトの先端に可動飾り物であるランプ風車を固定し、固定ベースに取付けられた発光ダイオードの光を導光シャフトを介してランプ風車の発光部に照射させることにより該発光部を発光させる構造とした遊技機の可動電飾装置が記載されている。
【０００５】
ところが、前者の電飾入りルミバーにおいては、遊技領域を転動するパチンコ球が円筒状本体に衝突することによって該本体の一部が欠けてしまったり、折れてしまうという不具合を生ずる。後者の可動電飾装置については、導光シャフトの先端に固定される可動飾り物に遊技球を接触若しくは衝突させる構造とされていて、簡素な構造でないために小型化を図ることが難しいと言えよう。
【特許文献１】特開２００４−１９５１７２号公報
【特許文献２】特開平８−１７３５９８号公報
【発明の開示】
【発明が解決しようとする課題】
【０００６】
本発明の目的は、透光性を有する障害部材が遊技球の接触・衝突によって損傷することを防止するパチンコ機における電飾装置を提供することにある。
【課題を解決するための手段】
【０００７】
前記目的を達成するために請求項１に記載した発明は、遊技領域を転動する遊技球が接触若しくは衝突可能な障害部材を光源から発せられる光によって発光するように設けられたパチンコ機における電飾装置において、遊技盤に固定される取付板に前記障害部材としての透光性を有する軸部材を回転自由に設け、その取付板の背面側に設けられた前記光源を該軸部材の後端部に対応するように配置したことを特徴とする。
【０００８】
同様の目的を達成するために請求項２に記載した発明は、請求項１に記載のパチンコ機における電飾装置において、単独又は複数の前記軸部材が、役物の取付板に形成された軸孔と当該取付板の前面に設けられる装飾部に形成された軸孔に遊嵌されて回転自由に設けられていることを特徴とするものである。
【０００９】
同様の目的を達成するために請求項３に記載した発明は、請求項１又は２に記載のパチンコ機における電飾装置において、前記軸部材を丸棒形状としたことを特徴とするものである。
【発明の効果】
【００１０】
（請求項１の発明）
このパチンコ機における電飾装置は、遊技球の接触・衝突時の勢いを軸部材の回転作用により逃がすことができると共に該接触・衝突による軸部材の損傷を可及的に防止することができる。加えて、遊技球が接触若しくは衝突する軸部材自体を発光させる簡素な構造であるので、小さなスペースでも設置可能である。
【００１１】
（請求項２の発明）
このパチンコ機における電飾装置は、軸部材を取り付けるための部材を別部材として設けることなく役物の取付板と装飾部とにより取付けることができ、小さなスペースでも設置可能である。
【００１２】
（請求項３の発明）
このパチンコ機における電飾装置は、軸部材を丸棒形状としているので、より効果的に遊技球の接触・衝突時の勢いを逃がすことができる。
【発明を実施するための最良の形態】
【００１３】
以下に、本発明の最良の形態例を図面に基づいて説明する。図１は本発明を適用したサイドランプの正面図、図２は同、側面図、図３は電飾部の要部を示す断面図、図４は本発明を適用したサイドランプが設置された遊技盤の正面図である。
【００１４】
本発明の「パチンコ機における電飾装置」を適用したサイドランプ１を図１に示す。図４に示すように、このサイドランプ１は、遊技盤４１に環状に設置される誘導レール４３の内側下方に左右対称に配置されるものであり、ここでは左側のものを例にして構造を説明する。
【００１５】
サイドランプ１は、遊技盤に固定されるほぼ三日月形状の取付板２の前面２ａに、ギター形状の電飾部１０や立体形状の電飾部２５、平面形状の電飾部３０等を適宜配設している。その取付板２には複数個の取付穴３を形成し、裏面２ｂに突設された複数のボス４に裏板９がビスにより締付けられて取付けられている。５，６は電飾部１０の上部に適宜間隔を置いて配設された入賞口であり、各入賞口５，６に入った遊技球は取付板２の後方に誘導されるように設けられている。
【００１６】
電飾部１０については、本発明に係るパチンコ機における電飾装置に相当する構造とされている。１５〜１７は後述する遊技領域を転動する遊技球が接触若しくは衝突可能な障害部材としての透光性を有する所定長さの軸部材である。図３に示すように、丸棒形状の軸部材１５は、フランジ１５ｂを備えた大径部１５ａと小径部１５ｃとから形成されており、前記取付板２に装着されたレンズプレート７に形成された軸孔７ａに小径部１５ｃを、当該取付板２の前面２ａに設けられたギター形状の装飾部１１に形成された軸孔１２ａに大径部１５ａを夫々遊嵌されて回転自由に設けられている。
【００１７】
１８は取付板２のボス４と裏板９との間に介装されたプリント基板である。このプリント基板１８に設けられた光源としての発光ダイオード１９は、軸部材１５の小径部１５ｃ（後端部）に対応するように配置されている。
【００１８】
また、他の軸部材１６，１７についても、前述した軸部材１５の構成と同様に設けられている。２０は軸部材１６の後端部に対応する発光ダイオード、２１は軸部材１７の後端部に対応する発光ダイオードである。
【００１９】
電飾部２５については、プリント基板２７に設けられた複数の発光ダイオード２８により前面に配置されたレンズ部２６を照射するように設けられている。また、電飾部３０については、プリント基板３２に設けられた複数の発光ダイオード３３により前面に配置されたレンズ部３１を照射するように設けられている。
【００２０】
かかる構成になる本発明を適用したサイドランプ１，１は、図４に示す遊技盤４１の誘導レール４３の内側下方に左右対称に配置される。誘導レール４２，４３により囲まれる遊技領域４１ａには、サイドランプ１，１の他に、パチンコ機における球落としゲーム及び図柄変動表示ゲームに必要な図柄変動表示装置４５、入賞装置４６、入賞口４７、大入賞口４８や図示しない障害釘等が配設される。４９はアウト口である。
【００２１】
つぎに、かかる構成になる本発明を適用したサイドランプ１の作用について説明する。
電飾部１０については、発光ダイオード１９〜２１から発せられる光によって軸部材１５〜１７が発光する。電飾部２５については、発光ダイオード２８によりレンズ部２６が明るく照明され、電飾部３０についても、発光ダイオード３３によりレンズ部３１が明るく照明される。
【００２２】
そこで、遊技者により打ち込まれた遊技球ａが遊技領域４１ａを転動して入賞口４７等に入らなくてサイドランプ１の入賞口５，６の脇を通って流下した場合において、その遊技球ａは、電飾部１０の何れかの軸部材１５〜１７に接触若しくは衝突してからアウト口４９に流入する。しかして、遊技球ａが軸部材１５〜１７に接触・衝突したときに、遊技球ａの勢いは軸部材１５〜１７の回転作用により逃がされる。
【００２３】
以上に述べた通り、本発明のパチンコ機における電飾装置を適用したサイドランプは、遊技球の接触・衝突時の勢いを軸部材の回転作用により逃がすことができると共に該接触・衝突による軸部材の損傷を可及的に防止することができる。加えて、前記電飾部を小さなスペースでも設置できる利点がある。
【図面の簡単な説明】
【００２４】
【図１】本発明を適用したサイドランプの正面図
【図２】同、側面図
【図３】電飾部の要部を示す断面図
【図４】本発明を適用したサイドランプが設置された遊技盤の正面図
【符号の説明】
【００２５】
１・・・サイドランプ（役物）
２・・・取付板
７ａ・・・軸孔
１０・・・電飾部（電飾装置）
１１・・・装飾部
１２ａ・・・軸孔
１５〜１７・・・軸部材
１９〜２１・・・発光ダイオード（光源）
４１・・・遊技盤
４１ａ・・・遊技領域
【図１】
2007209571.tif 000003
【図２】
2007209571.tif 000004
【図３】
2007209571.tif 000005
【図４】
2007209571.tif 000006